(57)【特許請求の範囲】
【請求項１】
装飾部、当該装飾部の裏面から垂直に延伸して取付体を貫通するピン、および当該装飾部と当該取付体を挟んで対向して当該ピンを留めるキャッチを備える装身具であって、
前記キャッチが、
前記ピンの相対向する外周の一部を挟持する挟持部と、
前記挟持部を含んで構成され、当該挟持部に対して当該挟持部以外の部分が自由度なしに固定され、当該挟持部が前記ピンを挟持している挟持位置の上側部分よりも当該挟持位置の下側部分が重い錘部と、
を備えることを特徴とする装身具。
【請求項２】
前記挟持部が間隙を挟んで互いに対向する開放端部を有する湾曲形状に形成され、装着時にピンと接する円弧の径がピンの径より小さいことを特徴とする請求項１に記載の装身具。
【請求項３】
前記挟持部が、第１の挟持部、第２の挟持部、当該第１の挟持部と当該第２の挟持部とが互いに当接する方向に付勢するばね部材からなるクリップであって、
前記第１の挟持部および前記第２の挟持部の少なくとも一方が、前記ピンの略半分または半分よりも小さい外周形状に応じた溝を備えることを特徴とする請求項１に記載の装身具。
【請求項４】
装飾部、当該装飾部の裏面から垂直に延伸して取付体を貫通するピン、および当該装飾部と当該取付体を挟んで対向して当該ピンを留めるキャッチを備える装身具であって、
前記キャッチが、前記ピンの断面形状を有し、当該ピンが挿入される挿入孔部と、
前記挿入孔部を含んで構成され、当該挿入孔部の上側部分よりも当該挿入孔部の下側部分が重い錘部を備え、
前記ピンが、当該ピンの断面外周の曲率が一定でないことを特徴とする装身具。
【請求項５】
前記装身具が、ピアスであることを特徴とする請求項４に記載の装身具。
【発明の詳細な説明】
【技術分野】
【０００１】
本発明は、回転を防止するようにしたピンとキャッチを有する装飾具に関する。
【背景技術】
【０００２】
一般的に従来のピアス用キャッチは、はめ込み式のものが多いため、紛失しやすかった。そこで、キャッチの止め方をはめ込み式からネジ式にすることで、ピアス装着後の紛失を防止できる技術が提案されている（例えば、特許文献１参照）。
【先行技術文献】
【特許文献】
【０００３】
【特許文献１】実用新案登録第３１０５４８５号公報
【発明の概要】
【発明が解決しようとする課題】
【０００４】
しかしながら、従来技術では装飾部のデザインが上下非対称または左右非対称である場合に、装飾部が回転してしまうことで、そのデザインがピアスを見た人に正しく認識されない可能性があるという問題点があった。
【０００５】
そこで、上記課題に鑑みて、本発明では、ピアス全体の回転を防ぐ装飾具及び装飾具用キャッチを提供することを目的とする。
【課題を解決するための手段】
【０００６】
本発明は、上記の課題を解決するために、以下の事項を提案している。なお、理解を容易にするために、本発明の実施形態に対応する符号を付して説明するが、これに限定されるものではない。
【０００７】
（１）  本発明は、装飾部（１０）、当該装飾部の裏面から垂直に延伸して取付体（６０）を貫通するピン（２０）、および当該装飾部と当該取付体を挟んで対向して当該ピンを留めるキャッチ（３０,４０）を備える装身具であって、前記キャッチが、前記ピンの相対向する外周の一部を挟持する挟持部（３２，４１，４２）と、前記挟持部を含んで構成され、当該挟持部に対して当該挟持部以外の部分が自由度なしに固定され、当該挟持部が前記ピンを挟持している挟持位置の上側部分よりも当該挟持位置の下側部分が重い錘部（３１，４１）と、を備えることを特徴とする装身具（３０,４０）を提案している。
【０００８】
（２）  本発明は、（１）のキャッチについて、前記挟持部（３２）が、間隙を挟んで互いに対向する開放端部を有する湾曲形状に形成され、装着時にピン（２０）と接する円弧の径がピンの径より小さいことを特徴とする装身具（３０）を提案している。
【０００９】
（３）  本発明は、（１）のキャッチについて、前記挟持部が、第１の挟持部（４１ａ）、第２の挟持部（４１ｂ）、当該第１の挟持部と当該第２の挟持部とが互いに当接する方向に付勢するばね部材（４２）からなるクリップであって、前記第１の挟持部および前記第２の挟持部の少なくとも一方が、前記ピンの略半分または半分よりも小さい外周形状に応じた溝（４３）を備えることを特徴とする装身具を提案している。
【００１０】
（４）  本発明は、装飾部（１０）、当該装飾部の裏面から垂直に延伸して取付体（６０）を貫通するピン（５０）、および当該装飾部と当該取付体を挟んで対向して当該ピンを留めるキャッチ（５１）を備える装身具であって、前記キャッチが、前記ピンの断面形状を有し、当該ピンが挿入される挿入孔部（５２）と、前記挿入孔部を含んで構成され、当該挿入孔部の上側部分よりも当該挿入孔部の下側部分が重い錘部と、を備え、前記ピンが、当該ピンの断面外周の曲率が一定でないことを特徴とする装身具を提案している。
【００１１】
（５）  本発明は、（４）の装身具が、ピアスであることを特徴とする装身具を提案している。
【発明の効果】
【００１２】
本発明によれば、ピアスが回転することを防ぐことができる。それにより、視覚的なデザイン性が失われることを防ぐこともできる。
【図面の簡単な説明】
【００１３】
【図１】本発明の第１の実施形態に係るキャッチ装着時を後ろから見た斜視図を示す。
【図２】本発明の第１の実施形態に係るキャッチ装着時を真横から見た断面図を示す。
【図３】本発明の第２の実施形態に係るキャッチ装着時を後ろから見た斜視図を示す。
【図４】本発明の第２の実施形態に係るキャッチ装着時を前から見た斜視図を示す。
【図５】本発明の第２の実施形態に係るキャッチ装着時を上部から見た上面図を示す。
【図６】本発明の第２の実施形態に係るキャッチ取り外し時を前から見た斜視図を示す。
【図７】本発明の第２の実施形態に係るキャッチ取り外し時を上部から見た上面図を示す。
【図８】本発明の第３の実施形態に係るピアス装着時を後ろから見た斜視図を示す。
【図９】発明の第３の実施形態に係るピアス装着時を真横から見た断面図を示す。
【発明を実施するための形態】
【００１４】
以下、図面を用いて、本発明の実施形態について詳細に説明する。なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００１５】
＜第１の実施形態＞
第１の実施形態に係るキャッチについて図１および図２を用いて説明する。図１は、ピアス１のキャッチ３０装着時を後ろから見た斜視図である。図２は、ピアス１のキャッチ３０装着時を真横から見た断面図である。ピアス１は、デザイン性を有する装飾部１０、耳６０を貫通させるためのピン２０、およびキャッチ３０からなる。本実施形態では、ピアスを例に説明するが、ピアスに限らず、ピンとキャッチを有するピンバッチ等の装飾具であってもよい。
【００１６】
キャッチ３０は、挟持部３２、および挟持部３２を含む錘部３１からなる。錘部３１は、挟持部３２がピン３０を挟持している挟持位置の上部１００よりも挟持位置の下部１０１が重くなっている。図においては、挟持位置の上部１００は、挟持位置の中心よりも上側の部分を示すが、挟持位置の上端や下端といった任意の位置からの上側であってもよい。下部１０１についても、同様に、図においては、挟持位置の中心よりも下側の部分を示すが、挟持位置の上端や下端といった任意の位置からの下側であってもよい。
【００１７】
それにより、錘部３１の重心は、挟持位置すなわちピン２０よりも垂直方向下に位置している。錘部３１の大きさは、耳たぶを前から目視したときに隠れる程度が望ましい。錘部３１の形状としては、球、直方体、円柱等が挙げられ、耳たぶを横から目視したときに目立たないように薄い方がよい。
【００１８】
挟持部３２は、ピン２０の相対向する外周の一部を挟持する。具体的には、挟持部３２は、間隙を挟んで互いに対抗する開放端部を有する湾曲形状に形成されており、装着時にピン２０と接する円弧の径がピン２０の径よりわずかに小さくなっている。
【００１９】
錘部３１および挟持部３２の材質は、金属や、プラスチック、樹脂等であり、錘部３１と挟持部３２とが、同一素材であってもよいし異素材であってもよい。なお、錘部３２には金属等の重い材料を用いることが望ましい。
【００２０】
以上説明したように、本実施形態によれば、挟持部３２の径がピンの径よりわずかに小さいことにより、ピアス１装着時に挟持部３２による弾性力がピン２０に働くため、従来のピアスよりピンとキャッチの回転を防ぐことができる。また、錘部３１によってキャッチ３０自体の重心を挟持位置、すなわちピン２０の位置よりも低くすることで、キャッチ３０装着時のピアス１全体の重心がピンの位置よりも低くなり、ピアス１全体の回転を防ぐことができる。
【００２１】
＜第２の実施形態＞
本発明に係る第２の実施形態に係るキャッチについて、図３から図７を用いて説明する。なお、第１の実施形態と同一の符号を付す構成要素については、同一の機能を有することから、その詳細な説明は省略する。
【００２２】
図３は、ピアス２のキャッチ４０装着時を後ろから見た斜視図である。図４は、キャッチ４０装着時を前から見た斜視図である。図５は、キャッチ４０装着時を上部から見た上面図である。図６は、キャッチ４０取り外し時を前から見た斜視図である。図７はキャッチ４０取り外し時の上部から見た上面図である。
【００２３】
ピアス２は、デザイン性を有する装飾部１０、耳６０を貫通させるためのピン２０、およびキャッチ４０からなる。本実施形態でも、ピアスを例に説明するが、ピアスに限らず、ピンとキャッチを有するピンバッチ等の装飾具であってもよい。なお、図３、図４、図６、図７においては、装飾部１０を省略している。
【００２４】
キャッチ４０は、第１の挟持部４１ａと第２の挟持部４１ｂとが互いに当接する方向に付勢するばね部材４２から構成されるクリップである。ばね部材４２は、１つのばね、または複数のばね部材から構成される。第１の挟持部４１ａおよび第２の挟持部４１ｂそれぞれの形状は帯状であり、図においては長方形であるがそれに限られず、細長い楕円形等であってもよい。第１の挟持部４１ａおよび第２の挟持部４１ｂは、開閉し、取り外し時のように外力を加えた場合には、両者それぞれの長辺の一端は離れ、一方、装着時のように外力を加えていない場合には、両者のそれぞれの長辺の一端は接するまたは略接していることが望ましい。
【００２５】
第１の挟持部４１ａおよび第２の挟持部４１ｂは少なくとも一方が、ピン２０の略半分または半分よりも小さい外周形状に応じた溝４３を備えている。
【００２６】
キャッチ４０、すなわち、両挟持部４１ａ，４１ｂは、第１の実施形態における錘部の機能も有する。キャッチ４０は、両挟持部４１ａ，４１ｂの溝４３よりも上部１１０の重量よりも下部１１１の重量が大きくなっている。上部、下部の定義については、第１の実施形態と同様である。キャッチ４０の大きさは、耳たぶを前から目視したときに隠れる程度が望ましい。また、耳たぶを横から目視したときに小さい方が目立たずよい。キャッチ４０の材質は金属や、プラスチック、樹脂等であり、金属等の重い材料を用いることが望ましい。
【００２７】
以上説明したように、本実施形態によれば、第１の実施形態と同様にキャッチ４０は、ピン２０の略半分または半分よりも小さい外周形状に応じた溝を少なくとも片側に有するため、ピアス２装着時に両挟持部４１ａ，４１ｂによる弾性力がピン２０に働くため、従来のピアスよりピンとキャッチの回転を防ぐことができる。また、錘部も兼ね備えたキャッチ４０の溝４３よりも上部１１０の重量よりも下部１１１の重量が大きいことで、キャッチ４０自身の重心を溝４３、すなわちピン２０の位置よりも低くすることができる。その結果、キャッチ４０装着時のピアス２全体の重心が低くなり、ピアス２全体の回転を防ぐことができる。
【００２８】
＜第３の実施形態＞
本発明に係る第３の実施形態に係る装飾具について、図８および図９を用いて説明する。なお、第１の実施形態と同一の符号を付す構成要素については、同一の機能を有することから、その詳細な説明は省略する。
【００２９】
図８は、本実施形態に係るピアス３装着時の後ろから見た斜視図である。図９は、ピアス３装着時の真横から見た断面図である。ピアス３は、デザイン性を有する装飾部１０、耳６０を貫通させるためのピン５０、およびキャッチ５１からなる。なお、本実施形態でも、ピアスを例に説明するが、ピアスに限らず、ピンとキャッチを有するピンバッチ等の装飾具であってもよい。
【００３０】
ピン５０は、装飾部１０の裏面から垂直に延伸して断面は曲率が一定でない形状であり、例えば、図に示すような直線と曲線とから構成される形状である。
【００３１】
キャッチ５１は、ピン５０の断面と同じ形状の挿入孔部５２を有する。キャッチ５１は、第１の実施形態おける錘部の機能も有し、挿入孔部５２の上部１２０の重量よりも下部１２１の重量が大きくなっている。上部、下部の定義については、第１の実施形態と同様である。キャッチ５１の大きさは、耳たぶを前から目視したときに隠れる程度が望ましい。キャッチ５１全体の形状としては、球、直方体、円柱等が挙げられ、耳たぶを横から目視したときに薄い方が目立たずよい。ピン５０およびキャッチ５１の材質は、金属や、プラスチック、樹脂等である。なお、錘部の機能も兼ね備えるキャッチ５１には、金属等の重い材料を用いることが望ましい。
【００３２】
以上説明したように、本実施形態によれば、キャッチ５１の挿入孔部５２およびピン５０が断面の曲率が一定でないことによってキャッチとピンが第１および第２の実施形態に示すよりも固定され、回転しにくくなる。また、キャッチ５１の挿入孔部５２の上部１２０の重量より下部１２１の重量が大きくなっているため、キャッチ５１自体の重心が挿入孔部５２の位置よりも低くなる。その結果、キャッチ５１装着時のピアス３全体の重心が低くなり、ピアス３の回転を防ぐことができる。
【００３３】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００３４】
１      ピアスのキャッチ３０装着時
２      ピアスのキャッチ４０装着時
３      ピアス５０
１０    装飾部
３０    キャッチ
２０    ピン
３１    錘部
３２    挟持部
４０    キャッチ
４１    挟持部
４２    キャッチの開閉部
５０    ピン
５１    キャッチ
５２    挿入孔部
６０    耳
【要約】      （修正有）【課題】回転を防止するようにしたピンとキャッチとを有する装飾具を提供する。【解決手段】装飾部と取付体の一例である耳６０を挟んで対向し、装飾部の裏面から垂直に延伸して耳６０を貫通するピン２０を留めるキャッチ３０であって、ピン２０の相対向する外周の一部を挟持する挟持部３２と、挟持部３２を含んで構成され、挟持部３２がピン２０を挟持している挟持位置の上側部分よりも挟持位置の下側部分が重い錘部３１と、を備える。【選択図】図１【図１】
0005841274.tif 000002
【図２】
0005841274.tif 000003
【図３】
0005841274.tif 000004
【図４】
0005841274.tif 000005
【図５】
0005841274.tif 000006
【図６】
0005841274.tif 000007
【図７】
0005841274.tif 000008
【図８】
0005841274.tif 000009
【図９】
0005841274.tif 000010